(57)【要約】【課題】より簡単にＤＶＤへのデータの記録が行えるＤＶＤ記録装置を提供する。【解決手段】所定の開始信号の入力に基づいて、判断手段（判断プログラム８Ｂ）にＤＶＤ９が記録可能か否か判断させ、記録可能と判断された場合に、フォーマット手段（ＣＰＵ６，フォーマットプログラム８Ｆ）によるＤＶＤ９のフォーマット処理と、書込手段（読取書込部３，ＣＰＵ６，書込プログラム８Ｇ）によるフォーマット処理終了後のＤＶＤ９へのデータの書込処理と、ファイナライズ手段（ＣＰＵ６，ファイナライズプログラム８Ｈ）による書込処理終了後のＤＶＤ９のファイナライズ処理とを連続して行わせる自動制御処理を実行する自動制御手段（ＣＰＵ６，自動フォーマット／ファイナライズプログラム８Ｊ）を備えた。【選択図】  図１
2006302388.tif 000002
【特許請求の範囲】
【請求項１】
ＤＶＤに対してフォーマット処理を行うフォーマット手段と、前記フォーマット手段によりフォーマット処理された前記ＤＶＤにデータを書き込む書込処理を行う書込手段と、前記書込手段により書込処理された前記ＤＶＤのファイナライズ処理を行うファイナライズ手段とを備えるＤＶＤ記録装置において、
ＤＶＤが記録可能か否かを判断する判断手段と、
所定の開始信号の入力に基づいて、前記判断手段により、前記ＤＶＤが記録可能であると判断された場合に、前記フォーマット手段によるＤＶＤのフォーマット処理と、前記書込手段による前記フォーマット処理終了後の前記ＤＶＤへのデータの書込処理と、前記ファイナライズ手段による前記書込処理終了後の前記ＤＶＤのファイナライズ処理とを連続して行わせる自動制御処理を実行する自動制御手段と、
ユーザが操作信号を入力するための操作部と、
ユーザによって設定されたタイマ予約に関する予約データを記憶する記憶手段と、を備え、
前記自動制御手段は、前記記憶手段を検索してタイマ予約があるか否かを判断する予約タイマ判断手段を備え、
前記自動制御手段は、
前記予約タイマ判断手段により、前記タイマ予約があると判断された場合に、前記操作部からの操作信号に基づいて、前記予約データに基づくデータの書込みが選択されたか否かを判断し、前記予約データに基づくデータの書込みが選択されたと判断した場合に、前記書込手段に前記予約データに基づいて、前記ＤＶＤにデータを書き込ませることを特徴とするＤＶＤ記録装置。
【請求項２】
ＤＶＤに対してフォーマット処理を行うフォーマット手段と、前記フォーマット手段によりフォーマット処理された前記ＤＶＤにデータを書き込む書込処理を行う書込手段と、前記書込手段により書込処理された前記ＤＶＤのファイナライズ処理を行うファイナライズ手段とを備えるＤＶＤ記録装置において、
所定の開始信号の入力に基づいて、前記フォーマット手段によるＤＶＤのフォーマット処理と、前記書込手段による前記フォーマット処理終了後の前記ＤＶＤへのデータの書込処理と、前記ファイナライズ手段による前記書込処理終了後の前記ＤＶＤのファイナライズ処理とを連続して行わせる自動制御処理を実行する自動制御手段と、
を備えることを特徴とするＤＶＤ記録装置。
【請求項３】
前記ＤＶＤが記録可能か否かを判断する判断手段を備え、
前記自動制御手段は、
前記ＤＶＤが記録可能であると判断された場合に前記自動制御処理を実行することを特徴とする請求項２に記載のＤＶＤ記録装置。
【請求項４】
前記判断手段には、
挿入された媒体がＤＶＤである場合に記録可能と判断する媒体判断手段と、
挿入されたＤＶＤがプロテクトされていない場合に記録可能と判断するプロテクト判断手段と、
挿入されたＤＶＤがファイナライズ処理されていない場合に記録可能と判断するファイナライズ判断手段とが含まれることを特徴とする請求項３に記載のＤＶＤ記録装置。
【請求項５】
ユーザが操作信号を入力するための操作部と、
ユーザによって設定されたタイマ予約に関する予約データを記憶する記憶手段と、を備え、
前記自動制御手段は、前記記憶手段を検索してタイマ予約があるか否かを判断する予約
タイマ判断手段と、を備え、
前記自動制御手段は、
前記予約タイマ判断手段により、前記タイマ予約があると判断された場合に、前記操作部からの操作信号に基づいて、前記予約データに基づくデータの書込みが選択されたか否かを判断し、前記予約データに基づくデータの書込みが選択されたと判断した場合に、前記書込手段に前記予約データに基づいて前記ＤＶＤにデータを書き込ませることを特徴とする請求項２〜４の何れか一項に記載のＤＶＤ記録装置。
【発明の詳細な説明】
【技術分野】
【０００１】
本発明は、ＤＶＤ記録装置に関する。
【背景技術】
【０００２】
ＤＶＤ（Digital  Versatile  Disc）へのデータの記録は、まず、ＤＶＤのフォーマット処理を行うか否かをユーザに確認し、フォーマット処理を行ってよい場合にはフォーマット処理を行い、フォーマット処理が終了してからデータの書込みを行い、書込みの終了後において、ファイナライズ処理を行うか否かをユーザに確認してからファイナライズ処理を行うという手順で行われている。
【０００３】
そのため、ＤＶＤへデータの記録を行う場合に、ユーザは、いちいち、フォーマット処理を行うか否かを決定し、更に、ファイナライズ処理を行うか否かを決定しなくてはならず、ＤＶＤへのデータの記録が煩雑なものとなっている。
【０００４】
一方、パーソナルコンピュータ等において、バックアップディスクを作成する際に、バックアップするデータ等を光ディスク等に書き込む前に、当該光ディスクがフォーマット処理されているか否かを判断して、フォーマット処理されていない場合には、光ディスクを自動的にフォーマット処理する記録装置が知られている（例えば、特許文献１又は２）。
【特許文献１】特開平６−３５６２２号公報
【特許文献２】特開平６−１９６３６号公報
【発明の開示】
【発明が解決しようとする課題】
【０００５】
しかしながら、特許文献１又は２に記載の記録装置のように、光ディスクを自動的にフォーマット処理する技術をＤＶＤ記録装置に適用したとしても、ＤＶＤへのデータの書込みが終了する度に、ファイナライズ処理を行うか否かをユーザが決定しなければならず、ＤＶＤへのデータを記録する際の煩雑さを解消することができない。
【０００６】
本発明の課題は、より簡単にＤＶＤへのデータの記録が行えるＤＶＤ記録装置を提供することである。
【課題を解決するための手段】
【０００７】
請求項１に記載の発明は、ＤＶＤに対してフォーマット処理を行うフォーマット手段と、前記フォーマット手段によりフォーマット処理された前記ＤＶＤにデータを書き込む書込処理を行う書込手段と、前記書込手段により書込処理された前記ＤＶＤのファイナライズ処理を行うファイナライズ手段とを備えるＤＶＤ記録装置において、
ＤＶＤが記録可能か否かを判断する判断手段と、
所定の開始信号の入力に基づいて、前記判断手段により、前記ＤＶＤが記録可能であると判断された場合に、前記フォーマット手段によるＤＶＤのフォーマット処理と、前記書込手段による前記フォーマット処理終了後の前記ＤＶＤへのデータの書込処理と、前記ファイナライズ手段による前記書込処理終了後の前記ＤＶＤのファイナライズ処理とを連続して行わせる自動制御処理を実行する自動制御手段と、
ユーザが操作信号を入力するための操作部と、
ユーザによって設定されたタイマ予約に関する予約データを記憶する記憶手段と、を備え、
前記自動制御手段は、前記記憶手段を検索してタイマ予約があるか否かを判断する予約タイマ判断手段を備え、
前記自動制御手段は、
前記予約タイマ判断手段により、前記タイマ予約があると判断された場合に、前記操作部からの操作信号に基づいて、前記予約データに基づくデータの書込みが選択されたか否かを判断し、前記予約データに基づくデータの書込みが選択されたと判断した場合に、前記書込手段に前記予約データに基づいて、前記ＤＶＤにデータを書き込ませることを特徴としている。
【０００８】
請求項２に記載の発明は、ＤＶＤに対してフォーマット処理を行うフォーマット手段と、前記フォーマット手段によりフォーマット処理された前記ＤＶＤにデータを書き込む書込処理を行う書込手段と、前記書込手段により書込処理された前記ＤＶＤのファイナライズ処理を行うファイナライズ手段とを備えるＤＶＤ記録装置において、
所定の開始信号の入力に基づいて、前記フォーマット手段によるＤＶＤのフォーマット処理と、前記書込手段による前記フォーマット処理終了後の前記ＤＶＤへのデータの書込処理と、前記ファイナライズ手段による前記書込処理終了後の前記ＤＶＤのファイナライズ処理とを連続して行わせる自動制御処理を実行する自動制御手段と、
を備えることを特徴としている。
【０００９】
請求項３に記載の発明は、請求項２に記載のＤＶＤ記録装置において、
前記ＤＶＤが記録可能か否かを判断する判断手段を備え、
前記自動制御手段は、
前記ＤＶＤが記録可能であると判断された場合に前記自動制御処理を実行することを特徴としている。
【００１０】
請求項４に記載の発明は、請求項３に記載のＤＶＤ記録装置において、
前記判断手段には、
挿入された媒体がＤＶＤである場合に記録可能と判断する媒体判断手段と、
挿入されたＤＶＤがプロテクトされていない場合に記録可能と判断するプロテクト判断手段と、
挿入されたＤＶＤがファイナライズ処理されていない場合に記録可能と判断するファイナライズ判断手段とが含まれることを特徴としている。
【００１１】
請求項５に記載の発明は、請求項２〜４の何れか一項に記載のＤＶＤ記録装置において、
ユーザが操作信号を入力するための操作部と、
ユーザによって設定されたタイマ予約に関する予約データを記憶する記憶手段と、を備え、
前記自動制御手段は、前記記憶手段を検索してタイマ予約があるか否かを判断する予約タイマ判断手段と、を備え、
前記自動制御手段は、
前記予約タイマ判断手段により、前記タイマ予約があると判断された場合に、前記操作部からの操作信号に基づいて、前記予約データに基づくデータの書込みが選択されたか否かを判断し、前記予約データに基づくデータの書込みが選択されたと判断した場合に、前記書込手段に前記予約データに基づいて前記ＤＶＤにデータを書き込ませることを特徴としている。
【発明の効果】
【００１２】
請求項１に記載の発明によれば、自動制御手段により、所定の開始信号の入力に基づいて、判断手段によってＤＶＤが記録可能であると判断された場合に、フォーマット手段によるＤＶＤのフォーマット処理と、書込手段によるフォーマット処理終了後のＤＶＤへのデータの書込処理と、ファイナライズ手段による書込処理終了後のＤＶＤのファイナライ
ズ処理とを連続して行わせる自動制御処理が実行されるので、ＤＶＤのフォーマット処理から書込処理を経てファイナライズ処理されるまでの間ユーザは何ら操作する必要がなくなることとなって、より簡単にＤＶＤへのデータの記録を行うことができる。
【００１３】
また、ＤＶＤが記録可能か否かを判断する判断手段を備え、自動制御手段は、ＤＶＤが記録可能であると判断された場合に自動制御処理を実行するので、ＤＶＤが記録可能か否かが自動判断されることとなって、より好適にＤＶＤへのデータの記録を行うことができる。
【００１４】
また、自動制御手段により、予約タイマ判断手段によりタイマ予約があると判断された場合に、操作部からの操作信号に基づいて、予約データに基づくデータの書込みが選択されたか否かを判断し、予約データに基づくデータの書込みが選択されたと判断した場合に、書込手段に予約データに基づいてＤＶＤにデータを書き込ませるので、タイマ予約によるデータの記録においても、フォーマット処理、データの書込み、ファイナライズ処理が連続して自動でなされることとなって、より簡単に、ＤＶＤへのタイマ予約におけるデータの記録を行うことができる。
【００１５】
請求項２に記載の発明によれば、自動制御手段により、所定の開始信号の入力に基づいて、フォーマット手段によるＤＶＤのフォーマット処理と、書込手段によるフォーマット処理終了後のＤＶＤへのデータの書込処理と、ファイナライズ手段による書込処理終了後のＤＶＤのファイナライズ処理とを連続して行わせる自動制御処理が実行されるので、ＤＶＤのフォーマット処理から書込処理を経てファイナライズ処理されるまでの間ユーザは何ら操作する必要がなくなることとなって、より簡単にＤＶＤへのデータの記録を行うことができる。
【００１６】
請求項３に記載の発明によれば、請求項２に記載の発明と同様の効果が得られるのは勿論のこと、特に、ＤＶＤが記録可能か否かを判断する判断手段を備え、自動制御手段は、ＤＶＤが記録可能であると判断された場合に自動制御処理を実行するので、ＤＶＤが記録可能か否かが自動判断されることとなって、より好適にＤＶＤへのデータの記録を行うことができる。
【００１７】
請求項４に記載の発明によれば、請求項３に記載の発明と同様の効果が得られるのは勿論のこと、特に、判断手段には、挿入された媒体がＤＶＤである場合に記録可能と判断する媒体判断手段と、挿入されたＤＶＤがプロテクトされていない場合に記録可能と判断するプロテクト判断手段と、挿入されたＤＶＤがファイナライズ処理されていない場合に記録可能と判断するファイナライズ判断手段とが含まれるので、挿入されたＤＶＤの状態に応じて記録可能か否かが自動判断されることとなって、ユーザがＤＶＤの状態を忘れてしまった場合でも効率良くＤＶＤへのデータの記録を行うことができる。
【００１８】
請求項５に記載の発明によれば、請求項２〜４の何れか一項に記載の発明と同様の効果が得られるのは勿論のこと、特に、自動制御手段により、予約タイマ判断手段によりタイマ予約があると判断された場合に、操作部からの操作信号に基づいて、予約データに基づくデータの書込みが選択されたか否かを判断し、予約データに基づくデータの書込みが選択されたと判断した場合に、書込手段に予約データに基づいてＤＶＤにデータを書き込ませるので、タイマ予約によるデータの記録においても、フォーマット処理、データの書込処理、ファイナライズ処理が連続して自動でなされることとなって、より簡単に、ＤＶＤへのタイマ予約におけるデータの記録を行うことができる。
【発明を実施するための最良の形態】
【００１９】
以下、図を参照して、本発明に係るＤＶＤ（Digital  Versatile  Disc）記録装置を実
施するための最良の形態を詳細に説明する。本実施形態では、本発明に係るＤＶＤ記録装置として、ＤＶＤレコーダ１００を例示して説明する。
【００２０】
まず、本発明に係るＤＶＤレコーダ１００の構成について説明する。本発明に係るＤＶＤレコーダ１００は、図１に示すように、入力部１，変換部２，読取書込部３，データ処理部４，操作部５，ＣＰＵ（Central  Processing  Unit）６，ＲＡＭ（Random  Access
Memory）７，記憶部８等を備えて構成される。
【００２１】
入力部１は、例えば、チューナ（図示省略），セットトップボックス（図示省略），外部入力端子（図示省略）等を備え、外部からのデータを受け付け、該データを変換部２を介してＣＰＵ６に出力する。
【００２２】
変換部２は、例えば、ビデオデコーダ（図示省略）やオーディオＡ／Ｄコンバータ（図示省略）等を備えて構成され、入力部１から入力されたデータをデータ処理部４において処理可能なデータに変換し、ＣＰＵ６に出力する。より具体的には、ビデオデコーダは、例えば、入力された映像データをデコードし、デコードしたデータをＣＰＵ６に出力する。また、オーディオＡ／Ｄコンバータは、例えば、入力された音声データをデジタル方式に変換し、変換したデータをＣＰＵ６に出力する。
【００２３】
読取書込部３は、例えば、レーザ光をＤＶＤ９に照射し、該ＤＶＤ９から反射された反射光からデータの読取を行う。また、レーザ光をＤＶＤ９へ照射して、後述するデータ処理部４から入力された映像及び音声等のデータに基づいてＤＶＤ９の記録面の状態を変化させることにより該データの記録を行い、書込手段の一部として機能する。
【００２４】
データ処理部４は、信号処理回路（図示省略），トラックバッファ（図示省略），システムデコーダ（図示省略）等を備えて構成され、入力部１や読取書込部３から入力されたデータを復調し、デコードして、図示しない表示装置及び音声出力装置に出力する。より具体的には、データ処理部４では、信号処理回路が入力部１や読取書込部３から入力されたデータを復調するとともに訂正処理を施した復調データをトラックバッファに出力し、トラックバッファが信号処理回路から出力された復調データを順次記憶するとともにシステムデコーダに出力し、システムデコーダが出力された復調データをデコードして表示装置（図示省略）及び音声出力装置（図示省略）に出力する。
【００２５】
また、データ処理部４は、入力部１から入力されたデータを復調し、デコードして、読取書込部３に出力する。
【００２６】
操作部５は、各種の操作信号を入力するためのキー等を備えている。より具体的には、操作部５は、例えば、自動フォーマット／ファイナライズキー５Ａ等を備え、ユーザが自動フォーマット／ファイナライズキー５Ａを押下することにより、ＣＰＵ６に、後述する自動フォーマット／ファイナライズプログラム８Ｊを実行させるための開始信号が出力される。また、操作部５は、タイマ予約の予約データを入力するための予約キー（図示省略）等も備え、ユーザによって該予約キー等が押下されることにより、予約データの入力信号がＣＰＵ６に出力され、後述する予約データファイル８Ａに予約データが記憶される。
【００２７】
また、操作部５は、図示しないリモートコントローラ（以下、「リモコン」という）等で構成されてもよく、当該リモコンから操作信号がＣＰＵ６に出力されてもよい。この場合、リモコンは、例えば、ユーザが開始信号を入力するための自動フォーマット／ファイナライズキー，予約データを入力するための予約キー等を備え、入力された開始信号又は予約データの入力信号を赤外線等によりＣＰＵ６に出力する。
【００２８】
ＣＰＵ６は、記憶部８に格納された処理プログラム等を読み出して、ＲＡＭ７に展開して実行することにより、ＤＶＤレコーダ１００全体の制御を行う。
【００２９】
ＲＡＭ７は、ＣＰＵ６により実行された処理プログラム等を、ＲＡＭ７内のプログラム格納領域に展開するとともに、入力データや上記処理プログラムが実行される際に生じる処理結果等をワークエリアに格納する。
【００３０】
記憶部８は、例えば、プログラムやデータ等が予め記憶されている記録媒体（図示せず）を有しており、この記録媒体は、例えば、半導体メモリ等で構成されている。また、記憶部８は、ＣＰＵ６がＤＶＤレコーダ１００全体を制御する機能を実現させるための各種データ，各種処理プログラム，これらプログラムの実行により処理されたデータ等を記憶する。より具体的には、記憶部８は、例えば、図１に示すように、記憶手段としての予約データファイル８Ａ，判断プログラム８Ｂ，フォーマットプログラム８Ｆ，書込プログラム８Ｇ，ファイナライズプログラム８Ｈ，予約タイマ判断プログラム８Ｉ，自動フォーマット／ファイナライズプログラム８Ｊ等を格納している。
【００３１】
予約データファイル８Ａは、例えば、ユーザにより設定されたタイマ予約に関する予約データを記憶している。
【００３２】
判断プログラム８Ｂは、例えば、ＣＰＵ６に、ＤＶＤ９が記録可能か否かを判断する機能を実現させるプログラムである。より具体的には、判断プログラム８Ｂは、ＣＰＵ６に、読取書込部３を制御して、ＤＶＤレコーダ１００に挿入されたＤＶＤ９の記録面をサーチさせ、該ＤＶＤ９が記録可能か否かを判断し、該ＤＶＤ９が記録可能ではない場合に表示装置に所定の警告表示を表示させる機能を実現させるプログラムである。ＣＰＵ６は、かかる判断プログラム８Ｂを実行することにより、判断手段として機能する。
【００３３】
なお、ＤＶＤ９には、例えば、ＤＶＤ−Ｒ，ＤＶＤ−ＲＷ，ＤＶＤ＋Ｒ，ＤＶＤ＋ＲＷ等の種類がある。ＤＶＤ−ＲやＤＶＤ＋Ｒは、一回書き込んだデータを消去することができないディスクである。また、ＤＶＤ−ＲＷやＤＶＤ＋ＲＷは、書き込んだデータを消去することができるディスクである。
【００３４】
そして、上記のＤＶＤ９の種類や状態に応じて、該ＤＶＤ９が記録可能か否かを判断するため、判断プログラム８Ｂは、図１に示すように、媒体判断プログラム８Ｃ，プロテクト判断プログラム８Ｄ，ファイナライズ判断プログラム８Ｅ等を備えて構成される。
【００３５】
媒体判断プログラム８Ｃは、例えば、ＣＰＵ６に、ＤＶＤレコーダ１００に挿入された媒体が記録可能な媒体か否かを判断し、該媒体が記録可能な媒体である場合に、記録可能と判断する機能を実現させるプログラムである。ここで、記録不可能な媒体とは、例えば、ＤＶＤ−ＲＯＭや、空き領域がないＤＶＤ−Ｒ，ＤＶＤ＋Ｒ，ＣＤ等である。
【００３６】
また、プロテクト判断プログラム８Ｄは、例えば、ＣＰＵ６に、ＤＶＤレコーダ１００に挿入されたＤＶＤ９がプロテクトされているか否かを判断し、プロテクトされていない場合に、記録可能と判断する機能を実現させるプログラムである。
【００３７】
ここで、プロテクトとは、ＤＶＤ−ＲＷやＤＶＤ＋ＲＷ等に、既に記録したデータが消去されないための保護データ等を付加することである。ＤＶＤ−ＲＷやＤＶＤ＋ＲＷにおいてプロテクト処理されていると、プロテクト処理された部分にデータを書き込むことができない。
【００３８】
また、ファイナライズ判断プログラム８Ｅは、例えば、ＣＰＵ６に、ＤＶＤレコーダ１００に挿入されたＤＶＤ９がファイナライズ処理されているか否かを判断し、ファイナライズ処理されていない場合に、記録可能と判断する機能を実現させるプログラムである。
【００３９】
ここで、ファイナライズ処理とは、ＤＶＤ再生装置においてＤＶＤ９の再生が可能とな
るように、ＤＶＤ９に記録されたデータの他に、管理データ及びダミーデータ等をＤＶＤ９に記録する処理のことであり、一度、ファイナライズ処理されてしまうと、データを書き込むことが不可能となる。
【００４０】
フォーマットプログラム８Ｆは、例えば、ＣＰＵ６に、ＤＶＤレコーダ１００に挿入されたＤＶＤ９に、フォーマット処理を行う機能を実現させるプログラムである。より具体的には、フォーマットプログラム８Ｆは、ＣＰＵ６に、読取書込部３を制御して、ＤＶＤレコーダ１００に挿入されたＤＶＤ９の記録面をサーチさせ、該ＤＶＤ９にフォーマット処理が必要か否かを判断し、該ＤＶＤ９にフォーマット処理が必要である場合にＤＶＤ９にフォーマット処理を行うとともに、該ＤＶＤ９にフォーマット処理が必要でない場合に該ＤＶＤ９にフォーマット処理を行わないフォーマット制御を行う機能を実現させるプログラムである。ＣＰＵ６は、かかるフォーマットプログラム８Ｆを実行することにより、フォーマット手段として機能する。
【００４１】
ここで、フォーマット処理とは、ＤＶＤ９等の記録メディアにデータを書き込めるように、物理的に状態を設定する処理のことである。ＤＶＤ９のフォーマット処理の形式には、例えば、ＵＤＦ（Universal  Disk  Format）形式等がある。
【００４２】
書込プログラム８Ｇは、例えば、ＣＰＵ６に、読取書込部３を制御して、ＤＶＤ９の記録面にレーザ光を照射することにより、データを書き込む書込処理を行う機能を実現させるプログラムである。ＣＰＵ６は、かかる書込プログラム８Ｇを実行することにより書込手段の一部として機能する。
【００４３】
ファイナライズプログラム８Ｈは、例えば、ＣＰＵ６に、読取書込部３によるＤＶＤ９へのデータの書込みが終了した後に、該ＤＶＤ９にファイナライズ処理を行う機能を実現させるプログラムである。より具体的には、ファイナライズプログラム８Ｈは、ＣＰＵ６に、ＤＶＤレコーダ１００においてＤＶＤ９の再生が可能となるように、ＤＶＤ９に記録されたデータの他に、管理データ及びダミーデータ等を記録する機能を実現させるプログラムである。ＣＰＵ６は、かかるファイナライズプログラム８Ｈを実行することにより、ファイナライズ手段として機能する。
【００４４】
予約タイマ判断プログラム８Ｉは、例えば、ＣＰＵ６に、予約データファイル８Ａを検索して、タイマ予約が設定されているか否かを判断する機能を実現させるプログラムである。ＣＰＵ６は、かかる予約タイマ判断プログラム８Ｉを実行することにより、予約タイマ判断手段として機能する。
【００４５】
自動フォーマット／ファイナライズプログラム８Ｊは、例えば、ＣＰＵ６に、操作部５の自動フォーマット／ファイナライズキー５Ａが押下されることによって入力された開始信号に基づいて、フォーマットプログラム８Ｆを実行して、ＤＶＤ９のフォーマット処理を行うとともに、フォーマット後に、書込プログラム８Ｇを実行して、読取書込部３に、フォーマット処理されたＤＶＤ９にデータを書き込ませ、書込みが終了後、ファイナライズプログラム８Ｈを実行して、読取書込部３によりデータが書き込まれたＤＶＤ９のファイナライズ処理を連続して行う機能を実現させるプログラムである。
【００４６】
また、自動フォーマット／ファイナライズプログラム８Ｊは、例えば、ＣＰＵ６に、判断プログラム８Ｂを実行させることにより、ＤＶＤ９が記録可能な場合に、自動フォーマット／ファイナライズ処理を行わせる機能を実現させるプログラムである。
【００４７】
また、自動フォーマット／ファイナライズプログラム８Ｊは、例えば、ＣＰＵ６に、タイマ予約判断プログラム８Ｂを実行させ、予約データファイル８Ａを参照して、タイマ予約が設定されているか否かを判断し、該タイマ予約が設定されていると判断した場合に、操作部５からの操作信号に基づいて、予約データに基づくデータの書込みが選択されたか否かを判断し、予約データに基づくデータの書込みが選択されたと判断した場合に、読取
書込部３に予約データに基づいてＤＶＤ９にデータを書き込ませる機能を実現させるプログラムである。
【００４８】
ＣＰＵ６は、かかる自動フォーマット／ファイナライズプログラム８Ｊを実行することにより、自動制御手段として機能する。
【００４９】
次に、上述のような構成の本発明に係るＤＶＤレコーダ１００の動作について、図２及び図３に示すフローチャートを参照しながら説明する。
【００５０】
まず、ＣＰＵ６は、ユーザにより操作部５の自動フォーマット／ファイナライズキー５Ａが押下されたか否かを、該操作部５から入力された開始信号に基づいて判断する（ステップＳ１）。
【００５１】
ステップＳ１において、ＣＰＵ６が、操作部５の自動フォーマット／ファイナライズキー５Ａが押下されていないと判断した場合には（ステップＳ１；Ｎｏ）、ＣＰＵ６は、ステップＳ１の処理を所定の間隔で繰り返し行う。
【００５２】
ステップＳ１において、ＣＰＵ６が、操作部５の自動フォーマット／ファイナライズキー５Ａが押下されたと判断した場合には（ステップＳ１；Ｙｅｓ）、ＣＰＵ６は、判断プログラム８Ｂを実行することにより、ＤＶＤレコーダ１００に挿入されたＤＶＤ９が記録可能か否かを判断し、該ＤＶＤ９が記録可能ではない場合に表示装置に所定の警告表示を表示させる（ステップＳ２〜Ｓ６）。
【００５３】
より具体的には、まず、ＣＰＵ６は、媒体判断プログラム８Ｃを実行して、ＤＶＤレコーダ１００に挿入された媒体が記録可能な媒体か否かを判断する（ステップＳ２）。
【００５４】
ステップＳ２において、ＣＰＵ６が、記録可能な媒体ではないと判断した場合には（ステップＳ２；Ｎｏ）、ＣＰＵ６は、表示装置（図示省略）に所定の警告表示を表示させる（ステップＳ６）。
【００５５】
ステップＳ２において、ＣＰＵ６が、記録可能な媒体であると判断した場合には（ステップＳ２；Ｙｅｓ）、ＣＰＵ６は、ファイナライズ判断プログラム８Ｅを実行することにより、ＤＶＤ９がファイナライズ処理されているか否かを判断する（ステップＳ３）。
【００５６】
ステップＳ３において、ＣＰＵ６が、ＤＶＤ９がファイナライズされていると判断した場合には（ステップＳ３；Ｎｏ）、ＣＰＵ６は、判断プログラム８Ｂの実行に基づいて、表示装置に該ＤＶＤ９に記憶されているデータを消してもよいかどうかを確認するための所定の確認表示を表示装置に表示させ、操作部５からの操作信号に基づいて、該ＤＶＤ９に記憶されているデータを消してもよいか否かを判断する（ステップＳ５）。
【００５７】
ステップＳ５において、ＣＰＵ６が、操作部５からの操作信号に基づいて、該ＤＶＤ９に記憶されているデータを消してはいけないと判断した場合には（ステップＳ５；Ｎｏ）、ＣＰＵ６は、判断プログラム８Ｂの実行に基づいて、表示装置に警告表示を表示させ（ステップＳ６）、ステップＳ１へ戻る。
【００５８】
ステップＳ５において、ＣＰＵ６が、操作部５からの操作信号に基づいて、該ＤＶＤ９に記憶されているデータを消してもよいと判断した場合には（ステップＳ５；Ｙｅｓ）、ＣＰＵ６はステップＳ７の処理を行う。
【００５９】
一方、ステップＳ３において、ＣＰＵ６が、ＤＶＤ９がファイナライズされていないと判断した場合には（ステップＳ３；Ｙｅｓ）、ＣＰＵ６は、プロテクト判断プログラム８Ｄを実行することにより、該ＤＶＤ９がプロテクトされているか否かを判断する（ステップＳ４）。
【００６０】
ステップＳ４において、ＣＰＵ６が、該ＤＶＤ９がプロテクトされていると判断した場合には（ステップＳ４；Ｎｏ）、ＣＰＵ６は、ステップＳ５の処理を行う。
【００６１】
ステップＳ４において、ＣＰＵ６が、該ＤＶＤ９がプロテクトされていないと判断した場合には（ステップＳ４；Ｙｅｓ）、ＣＰＵ６は、ステップＳ７の処理を行う。
【００６２】
次に、ステップＳ７において、ＣＰＵ６は、予約タイマ判断プログラム８Ｉを実行することにより、予約データファイル８Ａを検索して、タイマ予約が設定されているか否かを判断する。
【００６３】
ステップＳ７において、ＣＰＵ６が、タイマ予約が設定されていると判断した場合には（ステップＳ７；Ｎｏ）、ＣＰＵ６は、自動フォーマット／ファイナライズプログラム８Ｊの実行に基づいて、表示装置に通常録画において自動フォーマット／ファイナライズ処理を行うのか、タイマ予約において自動フォーマット／ファイナライズ処理を行うのかを確認するための確認表示を表示させ、操作部５からの操作信号に基づいて、通常録画において自動フォーマット／ファイナライズ処理を行うのか、タイマ予約において自動フォーマット／ファイナライズ処理を行うのかを判断する（ステップＳ８）。
【００６４】
ステップＳ８において、ＣＰＵ６が、操作部５からの操作信号に基づいて、タイマ予約において自動フォーマット／ファイナライズ処理を行うと判断した場合には（ステップＳ８；タイマ予約）、ユーザが操作部５を操作することにより、該タイマ予約において記録されるデータのタイトルの入力が行われ（ステップＳ９）、ステップＳ１１へ進む。なお、ここで、既にタイマ予約においてタイトルの入力がなされている場合には、ステップＳ９を省略できる。
【００６５】
ステップＳ８において、ＣＰＵ６が、操作部５からの操作信号に基づいて、通常録画において自動フォーマット／ファイナライズ処理を行うと判断した場合には（ステップＳ８；通常録画）、ユーザが操作部５を操作することにより、該通常録画で記録するデータのタイトルの入力が行われ（ステップＳ１０）、ステップＳ１１へ進む。
【００６６】
一方、ステップＳ７において、ＣＰＵ６が、タイマ予約が設定されていないと判断した場合には（ステップＳ７；Ｙｅｓ）、ＣＰＵ６は、ステップＳ１０に進む。
【００６７】
次に、ＣＰＵ６は、自動フォーマット／ファイナライズプログラム８Ｊを実行することにより、フォーマットプログラム８Ｆを実行し、ＤＶＤレコーダ１００に挿入されたＤＶＤ９の記録面をサーチさせ、該ＤＶＤ９にフォーマット処理が必要か否かを判断する（ステップＳ１１）。
【００６８】
ステップＳ１１において、ＣＰＵ６が、ＤＶＤ９がフォーマット処理が必要であると判断した場合には（ステップＳ１１；Ｙｅｓ）、ＣＰＵ６は、フォーマットプログラム８Ｆを実行することにより、ＤＶＤ９にフォーマット処理を行って（ステップＳ１２）、ステップＳ１３へ進む。
【００６９】
ステップＳ１１において、ＣＰＵ６が、ＤＶＤ９がフォーマット処理が必要ではないと判断した場合には（ステップＳ１１；Ｎｏ）、ステップＳ１３に進む。ここで、フォーマット処理が必要ではないＤＶＤ９とは、例えば、フォーマット済みのＤＶＤ９等である。
【００７０】
次に、ＣＰＵ６は、自動フォーマット／ファイナライズプログラム８Ｊを実行することにより、書込プログラム８Ｇを実行し、読取書込部３を制御して、ＤＶＤ９にデータを書き込ませることにより、録画を行う（ステップＳ１３）。
【００７１】
次に、ＣＰＵ６は、自動フォーマット／ファイナライズプログラム８Ｊを実行することにより、読取書込部３による、データのＤＶＤ９への書込みが終了したか否かを判断する（ステップＳ１４）。より具体的には、ＣＰＵ６は、読取書込部３を制御して、ＤＶＤ９の記録面をサーチして、ステップＳ９又はステップＳ１０で入力されたタイトルのデータが記録されているか否かを判断することにより、読取書込部３による、データのＤＶＤ９
への書込みが終了したか否かを判断する。
【００７２】
ステップＳ１４において、ＣＰＵ６が、読取書込部３による、データのＤＶＤ９への書込みが終了していないと判断した場合には（ステップＳ１４；Ｎｏ）、ＣＰＵ６は、ステップＳ１４の処理を所定の間隔で繰り返す。
【００７３】
ステップＳ１４において、ＣＰＵ６が、読取書込部３による、データのＤＶＤ９への書込みが終了したと判断した場合には（ステップＳ１４；Ｙｅｓ）、ＣＰＵ６は、自動フォーマット／ファイナライズプログラム８Ｊを実行することにより、ファイナライズプログラム８Ｈを実行し、ＤＶＤ９にファイナライズ処理を行って（ステップＳ１５）、本処理を終了する。
【００７４】
以上に説明した、本実施の形態に係るＤＶＤレコーダ１００によれば、ＣＰＵ６が自動フォーマット／ファイナライズプログラム８Ｊを実行することにより、操作部５の自動フォーマット／ファイナライズキー５Ａが押下されることにより入力された操作信号に基づいて、フォーマットプログラム８Ｆの実行によるＤＶＤ９のフォーマット処理と、書込プログラム８Ｇの実行によって制御された読取書込部３によるフォーマット処理終了後のＤＶＤ９へのデータの書込処理と、ファイナライズプログラム８Ｈの実行による書込処理終了後のＤＶＤ９のファイナライズ処理とを連続して行わせる自動フォーマット／ファイナライズ処理が実行されるので、ＤＶＤ９のフォーマット処理から書込処理を経てファイナライズ処理までの間、ユーザは何ら操作する必要がなくなることとなって、より簡単にＤＶＤ９へのデータの記録を行うことができる。
【００７５】
また、ＣＰＵ６は、自動フォーマット／ファイナライズプログラム８Ｊを実行することにより、判断プログラム８Ｂを実行して、ＤＶＤ９が記録可能か否かを判断し、ＤＶＤ９が記録可能であると判断した場合に自動フォーマット／ファイナライズ処理を実行するので、ＤＶＤ９が記録可能か否かが自動判断されることとなって、より好適にＤＶＤ９へのデータの記録を行うことができる。
【００７６】
また、判断プログラム８Ｂには、ＣＰＵ６に、挿入された媒体がＤＶＤ９である場合に記録可能と判断する機能を実現させる媒体判断プログラム８Ｃと、ＣＰＵ６に、挿入されたＤＶＤ９がプロテクトされていない場合に記録可能と判断する機能を実現させるプロテクト判断プログラム８Ｄと、ＣＰＵ６に、挿入されたＤＶＤ９がファイナライズ処理されていない場合に記録可能と判断するファイナライズ判断プログラム８Ｅとが含まれるので、挿入されたＤＶＤ９の状態に応じて記録可能か否かが自動判断されることとなって、ユーザがＤＶＤ９の状態を忘れてしまった場合でも効率良くＤＶＤ９へのデータの記録を行うことができる。
【００７７】
また、ＣＰＵ６は、自動フォーマット／ファイナライズプログラム８Ｊを実行することにより、予約タイマ判断プログラム８Ｉを実行して、タイマ予約があると判断した場合に、操作部５からの操作信号に基づいて、予約データに基づくデータの書込みが選択されたか否かを判断し、予約データに基づくデータの書込みが選択されたと判断した場合に、読取書込部３に予約データに基づいてＤＶＤ９にデータを書き込ませるので、タイマ予約によるデータの記録においても、フォーマット処理、データの書込み処理、ファイナライズ処理が連続して自動でなされることとなって、より簡単に、ＤＶＤ９へのタイマ予約におけるデータの記録を行うことができる。
【００７８】
なお、本実施形態においては、自動フォーマット／ファイナライズ処理は、通常録画及びタイマ予約における録画においてなされる場合を説明したが、これに限られるものではなく、例えば、操作部５の自動フォーマット／ファイナライズキー５Ａが二度連続して押下された場合には、３０分等の時間だけ録画において、自動フォーマット／ファイナライズ処理が行われるように構成してもよい。
【００７９】
また、本実施形態においては、ステップＳ４において、プロテクトされているＤＶＤ９
には、プロテクトされているデータを消去しないと、データの記録が行えない構成を説明したが、ＤＶＤレコーダ１００にＤＶＤ９の空き領域を判断する手段を備えて、ＤＶＤ９がプロテクトされていても、空き領域がある場合には、該空き領域に対してデータの記録を行うように構成してもよい。
【図面の簡単な説明】
【００８０】
【図１】本発明の実施形態に係るＤＶＤレコーダの要部構成を示すブロック図である。
【図２】本発明の実施形態に係るＤＶＤレコーダの動作を説明するフローチャートである。
【図３】本発明の実施形態に係るＤＶＤレコーダの動作を説明するフローチャートである。
【符号の説明】
【００８１】
３  読取書込部（書込手段）
５  操作部
６  ＣＰＵ（判断手段，媒体判断手段，プロテクト判断手段，ファイナライズ判断手段，フォーマット手段，書込手段，ファイナライズ手段，予約タイマ判断手段，自動制御手段）
８  記憶部（記憶手段）
８Ａ  予約データファイル（記憶手段）
８Ｂ  判断プログラム（判断手段）
８Ｃ  媒体判断プログラム（媒体判断手段）
８Ｄ  プロテクト判断プログラム（プロテクト判断手段）
８Ｅ  ファイナライズ判断プログラム（ファイナライズ判断手段）
８Ｆ  フォーマットプログラム（フォーマット手段）
８Ｇ  書込プログラム（書込手段）
８Ｈ  ファイナライズプログラム（ファイナライズ手段）
８Ｉ  予約タイマ判断プログラム（予約タイマ判断手段）
８Ｊ  自動フォーマット／ファイナライズプログラム（自動制御手段）
９  ＤＶＤ
【図１】
2006302388.tif 000003
【図２】
2006302388.tif 000004
【図３】
2006302388.tif 000005